(57)【特許請求の範囲】
【請求項１】
電気コネクタであって、
絶縁筐体であって、頂部表面、底部表面、該底部表面から前記頂部表面に向かって陥凹する回路基板スロット、および該回路基板スロットに対して横方向に配設される複数の端子溝を有し、かつ該端子溝を画定する各溝壁は、被当接構造を伴って形成される、絶縁筐体と、
前記複数の端子溝にそれぞれ提供される複数の伝導性端子であって、各伝導性端子は、前記絶縁筐体に固定される固定部分、該固定部分の頂部端から延在する上弾性部分、および前記固定部分の底部端から延在する下弾性部分を有し、前記上弾性部分は、前記固定部分から延在する第１のアーム、該第１のアームから延在し、前記頂部表面から延出し、屈曲する、第１の接触セクション、および該第１の接触セクションから延在する第２のアームを有し、該第２のアームの遠位端は、前記第１の接触セクションが押下されるときに、対応する端子溝において、前記被当接構造に当接し、前記下弾性部分は、前記固定部分の底部端から屈曲し、斜方かつ上方に延在し、前記下弾性部分の遠位端は、前記回路基板スロットの中へ突出する第２の接触セクションとして形成される、複数の伝導性端子と、を備える、電気コネクタ。
【請求項２】
各伝導性端子の上弾性部分の第１のアームは、前記固定部分の頂部端から斜方かつ上方に延在し、前記第１の接触セクションは、前記第１のアームから屈曲し、下方に延在し、前記第２のアームは、前記第１の接触セクションから前記固定部分に向かって斜方かつ下方に延在する、請求項１に記載の電気コネクタ。
【請求項３】
各伝導性端子の上弾性部分の第２のアームの遠位端は、前記第２のアームの２つの側面において突出し、かつ屈曲する、当接セクションとして形成され、該当接セクションの２つの側面は、前記第１の接触セクションが押下されるときに、それぞれ前記対応する端子溝において、２つの被当接構造に当接する、請求項２に記載の電気コネクタ。
【請求項４】
各伝導性端子の上弾性部分および下弾性部分は、前記固定部分の同じ側面に向かって延在し、隣接する伝導性端子は、逆方に提供され、伝導性端子の２つの固定部分は、前記回路基板スロットの２つの側面において、それぞれ交互配置され、位置付けられ、これは、隣接する伝導性端子の２つの上弾性部分が、交互配置されること、および前記回路基板スロットの２つの側面から前記回路基板スロットの中間に向かって斜方にそれぞれ延在することを可能にし、かつ隣接する伝導性端子の２つの下弾性部分が、交互配置されること、および前記回路基板スロットの２つの側面から前記回路基板スロットの中間に向かって斜方にそれぞれ延在することを可能にする、請求項３に記載の電気コネクタ。
【請求項５】
各端子溝は、前記頂部表面を貫通する上溝部分と、該上溝部分の下に位置付けられ、前記回路基板スロットと連通される、下溝部分と、を有する、請求項１〜４のいずれか１項に記載の電気コネクタ。
【請求項６】
各被当接構造は、前記対応する端子溝の２つの対向する溝壁のうちの一方上に形成される、階段状構造である、請求項５に記載の電気コネクタ。
【請求項７】
互いに対して垂直である、第１の回路基板および第２の回路基板を電気的に接続するために使用される、電気コネクタであって、
絶縁筐体であって、前記第１の回路基板が当接する頂部表面、底部表面、前記第２の回路基板の挿入のために、前記底部表面から前記頂部表面に向かって陥凹する、回路基板スロット、および該回路基板スロットに対して横方向に配設される複数の端子溝を有し、かつ該端子溝を画定する各溝壁は、被当接構造を伴って形成される、絶縁筐体と、
前記複数の端子溝にそれぞれ提供される複数の伝導性端子であって、各伝導性端子は、前記絶縁筐体に固定される固定部分、該固定部分の頂部端から延在する上弾性部分、および前記固定部分の底部端から延在する下弾性部分を有し、前記上弾性部分は、前記固定部分から延在する第１のアーム、該第１のアームから延在し、前記頂部表面から延出し、前記第１の回路基板に接触して電気接続を確立するために屈曲する、第１の接触セクション、および該第１の接触セクションから延在する第２のアームを有し、該第２のアームの遠位端は、前記第１の接触セクションが押下され、前記第１の回路基板に接触するときに、対応する端子溝において、前記被当接構造に当接し、前記下弾性部分は、前記固定部分の底部端から屈曲し、斜方かつ上方に延在し、前記下弾性部分の遠位端は、前記第２の回路基板に接触して電気接続を確立するために、前記回路基板スロットの中へ突出する第２の接触セクションとして形成される、複数の伝導性端子と、を備える、電気コネクタ。
【請求項８】
各伝導性端子の上弾性部分の第１のアームは、前記固定部分の頂部端から斜方かつ上方に延在し、前記第１の接触セクションは、前記第１のアームから屈曲し、下方に延在し、前記第２のアームは、前記第１の接触セクションから前記固定部分に向かって斜方かつ下方に延在する、請求項７に記載の電気コネクタ。
【請求項９】
各伝導性端子の上弾性部分の第２のアームの遠位端は、前記第２のアームの２つの側面において突出し、かつ屈曲する、当接セクションとして形成され、該当接セクションの２つの側面は、前記第１の接触セクションが押下されるときに、それぞれ前記対応する端子溝において、２つの被当接構造に当接する、請求項８に記載の電気コネクタ。
【請求項１０】
各伝導性端子の上弾性部分および下弾性部分は、前記固定部分の同じ側面に向かって延在し、２つ毎の隣接する伝導性端子は、逆方に提供され、２つ毎の伝導性端子の２つの固定部分は、前記回路基板スロットの２つの側面において、それぞれ交互配置され、位置付けられ、これは、２つ毎の隣接する伝導性端子の２つの第２の接触セクションが、交互配置されること、および前記第２の回路基板の２つの側面に対してそれぞれ押圧することを可能にする、請求項９に記載の電気コネクタ。
【請求項１１】
各端子溝は、前記頂部表面を貫通する上溝部分と、該上溝部分の下に位置付けられ、前記回路基板スロットと連通される、下溝部分と、を有する、請求項７〜１０のいずれか１項に記載の電気コネクタ。
【請求項１２】
各被当接構造は、前記対応する端子溝の２つの対向する溝壁のうちの一方上に形成される、階段状構造である、請求項１１に記載の電気コネクタ。
【発明の詳細な説明】
【技術分野】
【０００１】
本開示は、電気コネクタに関し、具体的には、互いに対して垂直である２つの回路基板を電気的に接続するために使用される電気コネクタに関する。
【背景技術】
【０００２】
互いに対して垂直である２つの回路基板を電気的に接続するために使用される電気コネクタは、例えば、台湾特許第ＴＷＭ４９６５９４Ｕ号（中国特許出願第ＣＮ０１２６５３６８．３号および米国特許第ＵＳ６，４０６，３０５号に対応する）において開示されている。前記電気コネクタは、絶縁筐体と、絶縁筐体に提供される複数の端子群と、を備え、各端子群は、第１の端子と、第２の端子と、を備える。第１の端子は、第１の回路基板に接触させるために使用される第１のアーム部分と、第２の回路基板に接触させるために使用される第２のアーム部分と、を有する。第２の端子は、第２のアーム部分に対応する係合部分を有し、第２の回路基板は、係合部分と第２のアーム部分との間に締着される。
【０００３】
第１の端子の第１のアーム部分および第２のアーム部分は、各々、単一の片持ちアームであり、かつ圧縮接触様態で回路基板に各々接触し、油力検出デバイス等の一部のデバイスおよびその適用環境においては、かかる圧縮接触様態における接触力は、不十分であり、同様に、かかる構成を伴う第１の端子は、要件がより厳しいデバイスおよび適用環境において使用することができない。
【発明の概要】
【発明が解決しようとする課題】
【０００４】
したがって、本開示の目的は、伝導性端子と回路基板との間の接触力を増加させることができる電気コネクタを提供することである。
【０００５】
したがって、一部の実施形態において、本開示の電気コネクタは、絶縁筐体と、複数の伝導性端子と、を備える。絶縁筐体は、頂部表面と、底部表面と、底部表面から頂部表面に向かって陥凹する回路基板スロットと、回路基板スロットに対して横方向に配設される複数の端子溝と、を有し、端子溝を画定する各溝壁は、被当接構造を伴って形成される。複数の伝導性端子は、複数の端子溝にそれぞれ提供される。各伝導性端子は、絶縁筐体に固定される固定部分と、固定部分の頂部端から延在する上弾性部分と、固定部分の底部端から延在する下弾性部分と、を有する。上弾性部分は、固定部分から延在する第１のアームと、第１のアームから延在し、頂部表面から延出し、屈曲する、第１の接触セクションと、第１の接触セクションから延在する第２のアームと、を有し、第２のアームの遠位端は、第１の接触セクションが押下されるときに、対応する端子溝において、被当接構造に当接する。下弾性部分は、固定部分の底部端から屈曲し、斜方かつ上方に延在し、下弾性部分の遠位端は、回路基板スロットの中へ突出する第２の接触セクションとして形成される。
【０００６】
一部の実施形態において、各伝導性端子の上弾性部分の第１のアームは、固定部分の頂部端から斜方かつ上方に延在し、第１の接触セクションは、第１のアームから屈曲し、下方に延在し、第２のアームは、第１の接触セクションから固定部分に向かって斜方かつ下方に延在する。
【０００７】
一部の実施形態において、各伝導性端子の上弾性部分の第２のアームの遠位端は、第２のアームの２つの側面において突出し、かつ屈曲する、当接セクションとして形成され、当接セクションの２つの側面は、第１の接触セクションが押下されるときに、それぞれ対応する端子溝において、２つの被当接構造に当接する。
【０００８】
一部の実施形態において、各伝導性端子の上弾性部分および下弾性部分は、固定部分の同じ側面に向かって延在し、２つ毎の隣接する伝導性端子は、逆方に提供され、２つ毎の伝導性端子の２つの固定部分は、回路基板スロットの２つの側面において、それぞれ交互配置され、位置付けられ、これは、２つ毎の隣接する伝導性端子の２つの上弾性部分が、交互配置されること、および回路基板スロットの２つの側面から回路基板スロットの中間に向かって斜方にそれぞれ延在することを可能にし、かつ２つ毎の隣接する伝導性端子の２つの下弾性部分が、交互配置されること、および回路基板スロットの２つの側面から回路基板スロットの中間に向かって斜方にそれぞれ延在することを可能にする。
【０００９】
一部の実施形態において、各端子溝は、頂部表面を貫通する上溝部分と、上溝部分の下に位置付けられ、回路基板スロットと連通される、下溝部分と、を有する。
【００１０】
一部の実施形態において、各被当接構造は、対応する端子溝の２つの対向する溝壁のうちの一方上に形成される、段階的構造である。
【００１１】
一部の実施形態において、本開示の電気コネクタは、互いに対して垂直である、第１の回路基板および第２の回路基板を電気的に接続するために使用され、絶縁筐体と、複数の伝導性端子と、を備える。絶縁筐体は、第１の回路基板が当接する頂部表面と、底部表面と、第２の回路基板の挿入のために、底部表面から頂部表面に向かって陥凹する、回路基板スロットと、回路基板スロットに対して横方向に配設される複数の端子溝と、を有し、端子溝を画定する各溝壁は、被当接構造を伴って形成される。複数の伝導性端子は、複数の端子溝にそれぞれ提供される。各伝導性端子は、絶縁筐体に固定される固定部分と、固定部分の頂部端から延在する上弾性部分と、固定部分の底部端から延在する下弾性部分と、を有する。上弾性部分は、固定部分から延在する第１のアームと、第１のアームから延在し、頂部表面から延出し、第１の回路基板に接触して電気接続を確立するために屈曲する、第１の接触セクションと、第１の接触セクションから延在する第２のアームと、を有し、第２のアームの遠位端は、第１の接触セクションが押下され、第１の回路基板に接触するときに、対応する端子溝において、被当接構造に当接する。下弾性部分は、固定部分の底部端から屈曲し、斜方かつ上方に延在し、下弾性部分の遠位端は、第２の回路基板に接触して電気接続を確立するために、回路基板スロットの中へ突出する第２の接触セクションとして形成される。
【００１２】
一部の実施形態において、各伝導性端子の上弾性部分の第１のアームは、固定部分の頂部端から斜方かつ上方に延在し、第１の接触セクションは、第１のアームから屈曲し、下方に延在し、第２のアームは、第１の接触セクションから固定部分に向かって斜方かつ下方に延在する。
【００１３】
一部の実施形態において、各伝導性端子の上弾性部分の第２のアームの遠位端は、第２のアームの２つの側面において突出し、かつ屈曲する、当接セクションとして形成され、当接セクションの２つの側面は、第１の接触セクションが押下されるときに、それぞれ対応する端子溝において、２つの被当接構造に当接する。
【００１４】
一部の実施形態において、各伝導性端子の上弾性部分および下弾性部分は、固定部分の同じ側面に向かって延在し、２つ毎の隣接する伝導性端子は、逆方に提供され、２つ毎の伝導性端子の２つの固定部分は、回路基板スロットの２つの側面において、それぞれ交互配置され、位置付けられ、これは、２つ毎の隣接する伝導性端子の２つの第２の接触セクションが、交互配置されること、および第２の回路基板の２つの側面に対してそれぞれ押圧することを可能にする。
【００１５】
本開示は、少なくとも以下の効果を有する：伝導性端子の上弾性部分は、第１のアームと、第２のアームと、を有し、第２のアームの遠位端は、第１の接触セクションが第１の回路基板に圧縮接触するときに、絶縁筐体の被当接構造に当接し、そのため、第１の接触セクションと第１の回路基板との間の接触力を増加させることができる。下弾性部分は、固定部分の底部端から逆方に屈曲し、回路基板スロットに向かって延在し、そのため、第２の接触セクションと第２の回路基板との間の接触力を増加させることができる。換言すると、伝導性端子と第１の回路基板および第２の回路基板との間の圧縮接触は、より安定的である。
【図面の簡単な説明】
【００１６】
本開示の他の特性および効果は、図面を参照した実施形態を通じて明らかとなろう。
【００１７】
【図１】本開示の実施形態の電気コネクタの斜視図である。
【図２】別の角度から見た実施形態の斜視図である。
【図３】実施形態の分解斜視図である。
【図４】実施形態の部分的斜視図である。
【図５】図４の側面図である。
【図６】第１の回路基板および第２の回路基板と接続された実施形態の側面図である。
【図７】図６と同様の、かつ別の角度から見た側面図である。
【図８】図７の線ＶＩＩＩ−ＶＩＩＩに沿った断面図である。
【図９】図７の線ＩＸ−ＩＸに沿った断面図である。
【発明を実施するための形態】
【００１８】
図１、図２、および図６を参照すると、本開示の実施形態の電気コネクタは、互いに対して垂直である、第１の回路基板３および第２の回路基板４を電気的に接続するために使用され、絶縁筐体１と、複数の伝導性端子２と、を備える。
【００１９】
図３〜図５をさらに参照すると、絶縁筐体１は、第１の回路基板３が当接する頂部表面１１と、底部表面１２と、第２の回路基板４の挿入のために、底部表面１２から頂部表面１１に向かって陥凹する回路基板スロット１３と、回路基板スロット１３に対して横方向に配設される複数の端子溝１４と、を有し、端子溝１４を画定する各溝壁は、被当接構造１５を伴って形成される。実施形態において、各端子溝１４は、頂部表面１１を貫通する上溝部分１４１と、上溝部分１４１の下に位置付けられ、回路基板スロット１３と連通される、下溝部分１４２と、を有する。さらに、各被当接構造１５は、対応する端子溝１４の２つの対向する溝壁のうちの一方上に形成される、段階的構造である。実施形態において、被当接構造１５は、上溝部分１４１と下溝部分１４２との間の段階形状であるが、被当接構造１５は、段階形状に限定されず、当接させることができる突出ブロックまたは他の構造であってもよい。
【００２０】
複数の伝導性端子２は、複数の端子溝１４にそれぞれ提供され、各伝導性端子２は、絶縁筐体１に固定される固定部分２１と、固定部分２１の頂部端から延在する上弾性部分２２と、固定部分２１の底部端から延在する下弾性部分２３と、を有する。上弾性部分２２は、固定部分２１から延在する第１のアーム２２１と、第１のアーム２２１から延在し、頂部表面１１から延出し、屈曲する、第１の接触セクション２２２と、第１の接触セクション２２２から延在する第２のアーム２２３と、を有する。下弾性部分２３は、固定部分２１から屈曲し、斜方かつ上方に延在し、下弾性部分２３の遠位端は、回路基板スロット１３の中へ突出する第２の接触セクション２３１として形成される。実施形態において、各伝導性端子２の上弾性部分２２の第１のアーム２２１は、固定部分２１の頂部端から斜方かつ上方に延在し、第１の接触セクション２２２は、第１のアーム２２１から屈曲し、下方に延在し、第２のアーム２２３は、第１の接触セクション２２２から固定部分２１に向かって斜方かつ下方に延在し、第２のアーム２２３の遠位端は、第２のアーム２２３の２つの側面において突出し、かつ屈曲する、当接セクション２２４として形成される。実施形態において、各端子溝１４の上溝部分１４１および下溝部分１４２は、Ｔ形状を略形成し、上溝部分１４１は、下溝部分１４２に対して２つの側面に向かってさらに延在し、各伝導性端子２の上弾性部分２２は、対応する端子溝１４の上溝部分１４１に位置付けられ、各伝導性端子２の固定部分２１および下弾性部分２３は、下溝部分１４２に位置付けられる。各伝導性端子２の上弾性部分２２および下弾性部分２３は、固定部分２１の同じ側面に向かって延在し、２つ毎の隣接する伝導性端子２は、逆方に提供され、２つ毎の隣接する伝導性端子２の２つの固定部分２１は、回路基板スロット１３の２つの側面において、それぞれ交互配置され、位置付けられ、これは、２つ毎の隣接する伝導性端子２の２つの上弾性部分２２が交互配置されること、および回路基板スロット１３の２つの側面から回路基板スロット１３の中間に向かって斜方にそれぞれ延在することを可能にし、かつ２つ毎の隣接する伝導性端子２の２つの下弾性部分２３が、交互配置されること、および回路基板スロット１３の２つの側面から回路基板スロット１３の中間に向かって斜方にそれぞれ延在することを可能にする。
【００２１】
図７〜図９を参照すると、第１の回路基板３が押下され、絶縁筐体１の頂部表面１１に当接し、かつ複数の伝導性端子２の第１の接触セクション２２２に対して押圧するとき、複数の伝導性端子２の第１の接触セクション２２２は、第１の回路基板３と接触して電気接続を確立する。各伝導性端子２の第２のアーム２２３の遠位端は、第１の接触セクション２２２が押下されるときに、対応する端子溝１４において被当接構造１５に当接し、即ち、当接セクション２２４の２つの側面（図４を参照されたい）は、第１の接触セクション２２２が押下されるときに、それぞれ対応する端子溝１４において、２つの被当接構造１５に当接し、それによって、第１の接触セクション２２２と第１の回路基板３との間の接触力を増加させる。第２の回路基板４が回路基板スロット１３の中へ挿入されるとき、複数の伝導性端子２の第２の接触セクション２３１は、第２の回路基板４に対して押圧し、第２の回路基板４に接触して電気接続を確立する。第１の回路基板３および第２の回路基板４は、複数の伝導性端子２を介して、互いと電気的に接続される。下弾性部分２３は、固定部分２１の底部端から逆方に屈曲し、回路基板スロット１３に向かって延在し、そのため、第２の接触セクション２３１と第２の回路基板４との間の接触力を増加させることができる。さらに、２つ毎の伝導性端子２の２つの固定部分２１は、回路基板スロット１３の２つの側面において、交互配置され、それぞれ位置付けられて、２つ毎の伝導性端子２の２つの第２の接触セクション２３１が、交互配置されること、および第２の回路基板４の２つの側面に対してそれぞれ押圧することを可能にし、即ち、第２の回路基板４は、複数の伝導性端子２の第２の接触セクション２３１によって締着され、そのため、第２の回路基板４が回路基板スロット１３の中へ挿入されるときに、第２の回路基板４の安定性を増加させることができる。
【００２２】
結論として、伝導性端子２の上弾性部分２２は、第１のアーム２２１と、第２のアーム２２３と、を有し、第２のアーム２２３の遠位端は、第１の接触セクション２２２が第１の回路基板３に圧縮接触するときに、絶縁筐体１の被当接構造１５に当接し、そのため、第１の接触セクション２２２と第１の回路基板３との間の接触力を増加させることができる。下弾性部分２３は、固定部分２１の底部端から逆方に屈曲し、回路基板スロット１３に向かって延在し、そのため、第２の接触セクション２３１と第２の回路基板４との間の接触力を増加させることができる。換言すると、伝導性端子２と第１の回路基板３および第２の回路基板４との間の圧縮接触は、より安定的である。
【００２３】
しかしながら、上の内容は、本開示の実施形態であるに過ぎないが、本開示を実施する範囲を制限することは意図されず、即ち、本開示の請求項および明細書に従って成される単純な同等の変更および修正は、本開示の範囲内にある。
【符号の説明】
【００２４】
参照数字は、以下のとおりに表される。
【００２５】
１  絶縁筐体
１１  頂部表面
１２  底部表面
１３  回路基板スロット
１４  端子溝
１４１  上溝部分
１４２  下溝部分
１５  被当接構造
２  伝導性端子
２１  固定部分
２２  上弾性部分
２２１  第１のアーム
２２２  第１の接触セクション
２２３  第２のアーム
２２４  当接セクション
２３  下弾性部分
２３１  第２の接触セクション
３  第１の回路基板
４  第２の回路基板
【図１】
0006386018.tif 000002
【図２】
0006386018.tif 000003
【図３】
0006386018.tif 000004
【図４】
0006386018.tif 000005
【図５】
0006386018.tif 000006
【図６】
0006386018.tif 000007
【図７】
0006386018.tif 000008
【図８】
0006386018.tif 000009
【図９】
0006386018.tif 000010